(57)【特許請求の範囲】
【請求項１】
一つの滑動領域と、該滑動領域の両端に形成した二つのクラスター領域を有するフレキシブルプリント基板バスであって、
第一端と第二端を有し、前記第一端と第二端の間には複数の信号伝達線が配置される二つのクラスター領域と、
第一端と第二端を有し、その第一端は一方のクラスター領域の第二端に接続され、その第二端は他方のクラスター領域の第一端に接続され、かつ、その第一端と第二端の間には複数の信号伝達線が配置され、前記各クラスター領域の対応する信号伝達線に接続される一つの滑動領域と、
前記一方のクラスター領域の第一端に配置され、前記クラスター領域の対応する信号伝達線に接続される複数の信号伝達線を有する第一接続領域と、
前記他方のクラスター領域の第二端に配置され、前記クラスター領域の対応する信号伝達線に接続される複数の信号伝達線を有する第二接続領域と、
前記クラスター領域に形成された少なくとも一つの巻装構造と、を含み、
前記クラスター領域は前記フレキシブルプリント基板バスの延長方向に沿って区分形成される複数のクラスターバスによって構成され、それぞれのクラスターバスは独立し、自由に湾曲するクラスター構造であって、それぞれのクラスターバスの内部には少なくとも一つ以上の信号伝達線を有し、
前記巻装構造は前記クラスター領域の所定のクラスターバスの片側に形成され、前記巻装構造は結合部を有し、
前記巻装構造の結合部は接着層であり、
前記クラスターバスが内側に隠れるように、前記クラスター領域を二つ折りしてそれぞれのクラスターバスを重ね合わせ、
重ね合わせた前記クラスターバスに巻装した前記巻装構造の結合部を接着して前記クラスターバスを結合させて位置決めし、
前記滑動領域の第一端は一方のクラスター領域へと延長されていて、
該一方のクラスター領域は第一端と第二端と複数のクラスターバスを有し、
該一方のクラスター領域の第二端は前記滑動領域の第一端に接続されるとともに、第一接続領域は該一方のクラスター領域の第一端に接続され
前記滑動領域の第二端は他方のクラスター領域へと延長されていて、
該他方のクラスター領域は第一端と第二端と複数のクラスターバスを有し、
該他方のクラスター領域の第一端は前記滑動領域の第二端に接続されるとともに、第二接続領域は該他方のクラスター領域の第二端に接続されることを特徴とする、
クラスター領域を有するフレキシブルプリント基板バス。
【請求項２】
前記クラスター領域の二つの端はそれぞれ少なくとも一つの接続領域へと突設されることを特徴とする、請求項１に記載のクラスター領域を有するフレキシブルプリント基板バス。
【請求項３】
前記第一接続領域は少なくとも一つの湾曲領域を含み、前記湾曲領域は少なくとも一つの可撓線材を有することを特徴とする、請求項１に記載のクラスター領域を有するフレキシブルプリント基板バス。
【請求項４】
前記第一接続領域にはコネクターが配置されることを特徴とする、請求項１に記載のクラスター領域を有するフレキシブルプリント基板バス。
【請求項５】
前記第二接続領域にはコネクターが配置されることを特徴とする、請求項１に記載のクラスター領域を有するフレキシブルプリント基板バス。
【請求項６】
前記第一接続領域には差し込み端が配置されることを特徴とする、請求項１に記載のクラスター領域を有するフレキシブルプリント基板バス。
【請求項７】
前記第二接続領域には差し込み端が配置されることを特徴とする、請求項１に記載のクラスター領域を有するフレキシブルプリント基板バス。
【請求項８】
前記滑動領域上には少なくとも一つの接着部を有することを特徴とする、請求項１に記載のクラスター領域を有するフレキシブルプリント基板バス。
【発明の詳細な説明】
【技術分野】
【０００１】
本発明は、プリント回路バスの設計に関し、より詳しくはクラスター及び滑動領域を有するフレキシブルプリント基板バスに関する。
【背景技術】
【０００２】
現在プリント基板技術においては、フレキシブルプリント基板（Flexible Printed Circuit，FPC）が目下最先端の技術である。フレキシブルプリント基板は重量が軽く、体積が小さく、ダイナミックに湾曲させられ、弾性により形状を変化可能などといった特性を有し、特に各種形状のシステム製品の組み立て条件に適合し、配線密度を高め、フレキシブルに折り曲げられることなどの特性を生かし、信号接続や、部材組み立てのプリント基板キャリアとして用いられている。
フレキシブルプリント基板は、主動や、受動、あるいは、モジュールの部材に接続可能なため、フレキシブルプリント基板はこのような構造性といった特徴を有する。
【０００３】
ここ十年では、フレキシブルプリント基板は各種システム製品に広く応用される。特に例えば、携帯電話、デジタルカメラ、パソコン周辺機器、フラットパネル、ゲーム機などの消費性電子製品等の薄型軽量の電子製品に用いられている。フレキシブルプリント基板は、フラットパネル以外の消費性製品領域の成長性は高く、このフレキシブルプリント基板を伝達インターフェイスとして使うことは電子産業界では必要不可欠な技術となっている。
【０００４】
フレキシブルプリント基板は電子製品において、主に折畳みや回転などの部分の信号接続の部材に用いられ、目下電子製品の蝶番（Hinge Part）に最も多く応用されており、折りたたみ式（Clamshell）、スライド式（Slip）、フリップ式（Flip）、そして、立体回転式の機器が電子製品の中でも特にフレキシブルプリント基板の恩恵を最も受けている。
技術が日々進歩していく中で、電子製品の外形構造や機能設計はさらに多様化しており、そのため、フレキシブルプリント基板の構造設計も益々多様化している。
【発明の概要】
【発明が解決しようとする課題】
【０００５】
しかしながら、現在のフレキシブルプリント基板バスの構造設計では単一の折畳み式、スライド式、フリップ式、または立体回転式の構造が主である。多くの電子や通信製品において、フレキシブルプリント基板は軸孔を有する回転軸構造に設置される。この回転軸構造は単軸構造と双軸構造の設計を有し、例えば、スライド式携帯電話のスライドパネルは単軸の回転軸構造がフレキシブルプリント基板の置かれる組み立て部材となり、デジタルカメラの回転パネルは双軸構造の回転軸構造がフレキシブルプリント基板の置かれる組み立て部材となる。
【０００６】
技術は絶えず進歩し、すでにスライド式パネルと回転式パネルに類似した整合性電子製品や通信製品が出現してきている。
しかしながら、前述した従来の技術による現存するフレキシブルプリント基板はこの種の整合性電子製品に応用されてはいるが、回転式構造の一部分では、従来のバスの設計により、回転軸構造の操作は影響を受け、バスのコーナー箇所では、回転軸構造が圧縮されたり、衝突したり、あるいは摩擦することにより損傷し、電子製品の使用寿命が短くなってしまうといった問題があった。
【０００７】
本発明は、このような従来の問題に鑑みてなされたものである。上記課題解決のため、本発明は、従来のプリント基板バスがこれら整合性電子製品や通信製品に応用されるときに発生していた問題を改善させたクラスター領域を有するフレキシブルプリント基板バスを提供することを主目的とする。
【課題を解決するための手段】
【０００８】
上述した課題を解決し、目的を達成するために、本発明に係るクラスター領域を有するフレキシブルプリント基板バスは、一つの滑動領域と、該滑動領域の両端に形成した二つのクラスター領域を有するフレキシブルプリント基板バスであって、第一端と第二端を有し、この第一端と第二端の間には複数の信号伝達線が配置される二つのクラスター領域と、第一端と第二端を有し、その第一端は一方のクラスター領域の第二端に接続され、その第二端は他方のクラスター領域の第一端に接続され、かつ、その第一端と第二端の間には複数の信号伝達線が配置され、前記各クラスター領域の対応する信号伝達線に接続される一つの滑動領域と、一方のクラスター領域の第一端に配置され、クラスター領域の対応する信号伝達線に接続される複数の信号伝達線を有する第一接続領域と、他方のクラスター領域の第二端に配置され、クラスター領域の対応する信号伝達線に接続される複数の信号伝達線を有する第二接続領域と、前記クラスター領域に形成された少なくとも一つの巻装構造と、を含む。
ここでは、クラスター領域はフレキシブルプリント基板バスの延長方向に沿って区分形成される複数のクラスターバスによって構成され、それぞれのクラスターバスは独立し、自由に湾曲するクラスター構造であって、それぞれのクラスターバスの内部には少なくとも一つ以上の信号伝達線を有する。
前記巻装構造は前記クラスター領域の所定のクラスターバスの片側に形成され、前記巻装構造は結合部を有する。前記巻装構造の結合部は接着層である。
前記クラスターバスが内側に隠れるように、前記クラスター領域を二つ折りしてそれぞれのクラスターバスを重ね合わせ、重ね合わせた前記クラスターバスに巻装した前記巻装構造の結合部を接着して前記クラスターバスを結合させて位置決めする。
前記滑動領域の第一端は一方のクラスター領域へと延長されていて、該一方のクラスター領域は第一端と第二端と複数のクラスターバスを有し、該一方のクラスター領域の第二端は前記滑動領域の第一端に接続されるとともに、第一接続領域は該一方のクラスター領域の第一端に接続されている。
前記滑動領域の第二端は他方のクラスター領域へと延長されていて、該他方のクラスター領域は第一端と第二端と複数のクラスターバスを有し、該他方のクラスター領域の第一端は前記滑動領域の第二端に接続されるとともに、第二接続領域は該他方のクラスター領域の第二端に接続されていることを特徴とする、クラスター領域を有するフレキシブルプリント基板バスである。
【０００９】
好ましい実施形態では、滑動領域の第一端と第二端はさらに少なくとも一つのクラスター領域に延長されるか、あるいは、クラスター領域の第一端は少なくとも一つの滑動領域へと延長されるか、あるいは、クラスター領域の二つの端はそれぞれ、少なくとも一つの接続領域へと突設され、異なる使用要求に対応するように設計される。
【発明の効果】
【００１０】
本発明によれば、フレキシブルプリント基板バス上に同時にクラスター領域と滑動領域とが存在するため、従来のバスがスライド式や、回転式ディスプレイなどの整合性電子製品や通信機器に応用される時に発生していた、バスのコーナー処が回転式スクリーン内の回転軸構造によって、圧縮されたり、衝突したり、摩擦したりすることにより、損傷が発生するといった問題が改善される。
【００１１】
本発明によれば、フレキシブルプリント基板バスのクラスター領域のそれぞれのクラスターバスは独立して、自由に折り曲げられるという特性を有するため、巻装構造によって、クラスターバスが所定の空間内に巻装、固定され、自由に動く時、回転軸構造は摩擦されるだけであり、巻装構造が圧縮されたり、衝突したりすることにより、クラスターバスが影響を受けることがなく、これ以外に、巻装構造は異なる束ね方や、大きさで設計され、複数のクラスターバスは巻装構造内で自由に動くことができる。あるいは、直接ひと束に束ね、固定させるよう設計され、これにより、異なる回転方法に適することが可能となる。
【００１２】
本発明によれば、従来のプリント基板バスで発生していた問題が解決されるだけではなく、これは構造の革新的な進歩であり、電子や通信製品のさらなる発展を押し進める新たな道を開いたといえる。
【図面の簡単な説明】
【００１３】
【図１】本発明の第一参考形態に係る概略図である。
【図２】本発明の第一参考形態に係る底面図である。
【図３】本発明の第一参考形態に係る組み合わせ動作概略図である。
【図４】本発明の第二参考形態に係る概略図である。
【図５】本発明の実施形態に係る概略図である。
【図６】本発明の第三参考形態に係る概略図である。
【図７】本発明の第四参考形態に係る概略図である。
【図８】本発明の第五参考形態に係る概略図である。
【図９】本発明の第五参考形態に係る組み合わせ動作概略図１である。
【図１０】本発明の第五参考形態に係る組み合わせ動作概略図２である。
【図１１】本発明の第五参考形態に係る組み合わせ動作概略図３である。
【図１２】本発明の第六参考形態に係る概略図である。
【発明を実施するための形態】
【００１４】
以下に図面を参照して本発明について、詳細に説明する。
なお、本発明は、以下に説明する実施形態に限定されるものではない。
本発明の第一参考形態に係るフレキシブルプリント基板バス１００は第一接続領域１と、少なくとも一つのクラスター領域２と、少なくとも一つの滑動領域３と、第二接続領域４とを含み、クラスター領域２は第一端２１と第二端２２を有し、かつ、第一端２１と第二端２２の間には複数の信号伝達線５が配置される。
【００１５】
第一接続領域１は第一湾曲領域１１と第二湾曲領域１２とを含む。第一湾曲領域１１と第二湾曲領域１２の間には可撓線材Ｌ１がある。クラスター領域２の第一端２１は第一湾曲領域１１と第二湾曲領域１２の側辺に配置される。第一接続領域１には複数の信号伝達線５が配置される。これはクラスター領域２の対応する信号伝達線５と接続される。ここでは、第一接続領域１にはコネクター７が配置され、信号伝達線５と接続させるために用いられる。
もちろん、実際に応用される時には、異なる回路信号の要求に対応させるため、他の信号接続形態へと変えられ、例えば、差し込み端を配置することにより、他の回路スロットに差し込むことが可能となる。
この差し込み端は複数個の差し込みピンのゴードンフィンガー（Gordon Finger）の差し込み構造や、彫刻（Sculpture）差し込み構造である。
【００１６】
図示されているように、クラスター領域２はフレキシブルプリント基板バス１００の延長方向に沿って、区分形成されるクラスターバス２３によって構成される。
それぞれのクラスターバス２３は独立し、自由に湾曲するクラスター構造である。
それぞれのクラスターバス２３の内部には少なくとも一つ以上の信号伝達線５が含まれる。ここでは、少なくとも一つの巻装構造６がクラスター領域２の所定のクラスターバスの片側に形成される。
巻装構造６は結合部６１と中空領域６２を有する。
【００１７】
滑動領域３は第一端３１と第二端３２を有する。滑動領域３の第一端３１はクラスター領域２の第二端２２に接続され、かつ、滑動領域３の第一端３１と第二端３２の間には複数の信号伝達線５が配置され、クラスター領域２の対応する信号伝達線５に接続され、これ以外に、滑動領域３は可撓線材Ｌ２と複数の接着部３３、３４、３５を含む。
【００１８】
第二接続領域４は滑動領域３の第二端３２に配置される。この第二接続領域４には複数の信号伝達線５が配置され、滑動領域３の対応する信号伝達線５に接続される。
第二接続領域４には差し込み端８が配置される。これは信号伝達線５を接続するために用いられ、同様に、実際に応用される時には、異なる回路信号の要求に対応するため、その信号接続形態は変えられ、例えば、コネクターなどであり、端を設計する者の設計による。
【００１９】
図３は本発明の第一参考形態の組み合わせ動作概略図である。第一接続領域１の可撓線材Ｌ１及び滑動領域３の可撓線材Ｌ２によって、第二湾曲領域１２は第一湾曲領域１１の底面に重ね合わせられ、滑動領域３上の接着部３３によって、重ね合わせられる対応する領域は接着固定され、フレキシブルプリント基板バス１００のクラスター領域２のそれぞれのクラスターバス２３は図示されているように束状の構造として重ね合わせられ、さらに、巻装構造６によって、クラスター領域２のそれぞれのクラスターバス２３は巻装され、巻装構造６の結合部６１によって、結合させられ、位置決めがなされる。
【００２０】
本参考形態では、巻装構造６の結合部６１は接着層であり、これによって、それぞれのクラスターバス２３は束状の構造となって、接着位置決めがなされ、巻装構造６の中空領域６２によって、クラスター領域２のそれぞれのクラスターバス２３が巻装され、束状の構造となる時、それぞれのクラスターバス２３の湾曲の余剰が保持させられ、これにより、湾曲余剰が不足することや回転時の揺れの偏位量が大きくなることを防ぎ、これによりバスのコーナー処に力が集まり、バスの一部分がお互いに限定しあうことにより、曲げられ、損傷が発生することを防ぐ。
【００２１】
滑動領域３の接着部３４、３５はフレキシブルプリント基板バス１００の滑動領域３があらかじめ決められた角度により、湾曲して折り曲げられる時、接着固定させる。図示されている状態に関して、図示されている接着部３４、３５の形成される位置は例示に過ぎず、この接着部３４、３５の形成される位置は設計者や電子製品の構造や設計に基づき、保留されたり、保留されなかったり、これに限定されるものではない。
【００２２】
図４は本発明の第二参考形態に係る概略図である。
この参考形態に係るクラスター領域を有する信号伝達バス１００ａの組み立て部材は上述の第一参考形態と略おなじである。そのため、部材の表示は対応する部材については同一の符号を付している。
前記した参考形態との違いはクラスター領域２の第一端２１がさらに少なくとも一つの滑動領域３ａへと延長されていることである。滑動領域３ａは同様に第一端３１ａと第二端３２ａを有する。滑動領域３ａの第一端３１ａは第一接続領域１へと接続される。第二端３２ａはクラスター領域２の第一端２１に接続される。
図示されている形態に示されているように、ここでは、滑動領域３ａは複数個の接着部３４ａ、３５ａを有し、滑動領域３ａが湾曲して折り曲げられる時、接着位置決めをする。もちろん、接着部３４ａ、３５ａを保留するかどうかは設計者によって決定される。
組み立て部材と応用方法は前記第一参考形態と略同じであるため、ここでは説明を省略する。
【００２３】
図５は本発明の実施形態に係る概略図である。
この実施形態に係る巻装構造を有する信号伝達バス１００ｂの組み立て部材は第一参考形態と略同じであるため、部材の表示は対応する部材の符号が付されている。
その違いは滑動領域３の第二端３２がさらに少なくとも一つのクラスター領域２ａへと延長されていることである。クラスター領域２ａは同様に第一端２１ａと第二端２２ａと複数のクラスターバス２３ａを有し、クラスター領域２ａの第一端２１ａは滑動領域３の第二端３２に接続され、第二接続領域４はクラスター領域２ａの第二端２２ａに接続される。
さらに、図示されている形態に示されているように、この組み立て部材と応用方法は第一参考形態と略同であるため、ここでは説明を省略する。
【００２４】
図６は本発明の第三参考形態に係る概略図である。
この参考形態に係る巻装構造を有する信号伝達バス１００ｃの組み立て部材は第一参考形態と略同であるため、部材の表示は対応するおなじ部材の符号が付けられている。
その違いは滑動領域３の第一端３１がさらに少なくとも一つのクラスター領域２ｂへと延長されていることである。クラスター領域２ｂは同様に第一端２１ｂと第二端２２ｂと複数のクラスターバス２３ｂを有し、クラスター領域２ｂの第一端２１ｂは滑動領域３の第一端３１に接続され、クラスター領域２ｂの第二端２２ｂは第三接続領域４ａに接続される。
本参考形態では、第三接続領域４ａには差し込み端８ａが配置され、信号伝達線５を接続させるために用いられる。同様に、実際に応用される時には、異なる回路信号の要求に対応させるため、その信号接続形態は変えられ、例えば、コネクターが用いられる。
この組み立て部材と応用方法は第一参考形態と略同であるため、ここでは説明を省略する。
【００２５】
図７は本発明の第四参考形態の概略図である。この参考形態に係る巻装構造を有する信号伝達バス１００ｄの組み立て部材は第一参考形態と略同じであり、そのため、部材の表示は対応する相同の部材番号が付けられている。
その違いは、クラスター領域２の第一端２１と第二端２２はそれぞれ第四接続領域４ｂと第五接続領域４ｃへと突設されている。図示されているように、第四接続領域４ｂと第五接続領域４ｃにはそれぞれ差し込み端８ｂ、８ｃが配置される。これらは信号伝達線５を接続するために用いられる。同様に、実際に応用される時には、異なる回路信号の要求に対応させるため、その信号接続形態は変えられ、例えば、コネクターが用いられる。
この組み立て部材と応用方法は第一参考形態と略同じであるため、ここでは説明を省略する。
【００２６】
図８は本発明の第五参考形態に係る概略図である。この参考形態に係る巻装構造を有する信号伝達バス１００ｅの組み立て部材は第一参考形態と略同じであり、そのため、部材の表示は対応する同じ部材の符号が付けられている。
その違いは、第一接続領域１にはさらに第三湾曲領域１３と第四湾曲領域１４と第五湾曲領域１５と二つの可撓線材Ｌ３、Ｌ４が含まれる点である。
第四湾曲領域１４と第五湾曲領域１５の側辺には接続されるクラスター領域２ｃと、クラスター領域２ｃに接続される滑動領域３ｂと、滑動領域３ｂに接続される第六接続領域４ｄがある。ここでは、クラスター領域２ｃの所定のクラスターバスの片側には二つの巻装構造６ｃ、６ｄが形成される。巻装構造６ｃ、６ｄはそれぞれ結合部６１ｃ、６１ｄ及び、中空領域６２ｃ、６２ｄを有し、第六接続領域４ｄには差し込み端８ｄが配置される。
【００２７】
図９は本発明の第五参考形態の組み合わせ動作概略図１であり、図１０は本発明の第五参考形態に係る組み合わせ動作概略図２であり、図１１は本発明の第五参考形態に係る組み合わせ動作概略図３である。
本参考形態にでは、第一湾曲領域１１と、第二湾曲領域１２と、第三湾曲領域１３と、第四湾曲領域１４と、第五湾曲領域１５と、三つの可撓線材Ｌ１、Ｌ３、Ｌ４によって、それぞれの湾曲領域１１、１２、１３、１４、１５は図示されているように折り曲げられ、滑動領域３、３ｂ上の接着部３３、３３ｂは折り曲げられる対応する領域を接着固定させ、フレキシブルプリント基板バス１００ｅのクラスター領域２、２ｃのそれぞれのクラスターバス２３、２３ｃは図示されているように束状の構造として重ね合わせられ、さらに、巻装構造６ｃ、６ｄによって、クラスター領域２、２ｃのそれぞれのクラスターバス２３、２３ｃは巻装され、また、巻装構造６ｃ、６ｄの結合部６１ｃ、６１ｄによって、結合され、位置決めがなされる。
【００２８】
ここでは、滑動領域３、３ｂの接着部３４、３５、３４ｂ、３５ｂは滑動領域３、３ｂがある決められた角度で湾曲して折り曲げられるとき、接着固定される。当該技術分野を熟知する者には容易にわかることであるが、図１１に示されているフレキシブルプリント基板バス１００ｅが形成される形態は例示に過ぎず、その接着部３４、３５、３４ｂ、３５ｂによって位置決め形成される方法は、設計者や電子製品の構造に基づき設計され、そのフレキシブルプリント基板バス１００ｅの形態はこれに限定されず、これは好ましい例示の一つに過ぎない。
【００２９】
図１２は本発明の第六参考形態の概略図である。この参考形態に係る巻装構造を有する信号伝達バス１００ｆの組み立て部材は第五参考形態と略同じであるため対応する部材は同一の符号が付けられている。
その違いは、本参考形態のクラスター領域２ｃ上の巻装構造６ｅは図示されているようにバー状であり、対応するバー状の結合部６１ｅと複数の中空領域６２ｅを有し、この組み立て部材と応用方法は第五参考形態と略相同なため、ここでは、記載を省略する。
【００３０】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３１】
１００、１００ａ、１００ｂ、１００ｃ、１００ｄ、１００ｅ、１００ｆ  フレキシブルプリント基板バス
１  第一接続領域
１１  第一湾曲領域
１２  第二湾曲領域
１３  第三湾曲領域
１４  第四湾曲領域
１５  第五湾曲領域
２、２ａ、２ｂ、２ｃ  クラスター領域
２１、２１ａ、２１ｂ、２１ｃ  第一端
２２、２２ａ、２２ｂ、２２ｃ  第二端
２３、２３ａ、２３ｂ、２３ｃ  クラスターバス
３、３ａ、３ｂ  滑動領域
３１、３１ａ、３１ｂ  第一端
３２、３２ａ、３２ｂ  第二端
３３、３３ｂ  接着部
３４、３４ａ、３４ｂ  接着部
３５、３５ａ、３５ｂ  接着部
４  第二接続領域
４ａ  第三接続領域
４ｂ  第四接続領域
４ｃ  第五接続領域
４ｄ  第六接続領域
６、６ａ、６ｂ、６ｃ、６ｄ、６ｅ  巻装構造
６１、６１ａ、６１ｂ、６１ｃ、６１ｄ、６１ｅ  結合部
６２、６２ａ、６２ｂ、６２ｃ、６２ｄ、６２ｅ  中空領域
７  コネクター
８、８ａ、８ｂ、８ｃ、８ｄ  差し込み端
Ｌ１、Ｌ２、Ｌ３、Ｌ４、Ｌ５  可撓線材
【図１】
0005679730.tif 000002
【図２】
0005679730.tif 000003
【図３】
0005679730.tif 000004
【図４】
0005679730.tif 000005
【図５】
0005679730.tif 000006
【図６】
0005679730.tif 000007
【図７】
0005679730.tif 000008
【図８】
0005679730.tif 000009
【図９】
0005679730.tif 000010
【図１０】
0005679730.tif 000011
【図１１】
0005679730.tif 000012
【図１２】
0005679730.tif 000013